(57)【要約】      （修正有）【課題】反射モードと透過モードとを切り替え可能な表示装置において一段と明るい画像を得る。【解決手段】一方の面に複数のプリズム３２が設けられたプリズムシート３１と、プリズムシート３１のプリズム３２が設けられた面に対向する支持層３６と、プリズムシート３１と透明支持層３６との間に設けられ、第１の屈折率を有する第１の媒質３４Ａと第２の屈折率を有する第２の媒質３４Ｂとが互いに流動自在に含まれる媒質層３４と、プリズムシート３１と支持層３６との間に電位差を与えるための透明電極３３、３５とを備える。【選択図】図４
2008008995.tif 000002
【特許請求の範囲】
【請求項１】
一方の面に複数のプリズムが設けられたプリズム層と、
前記プリズム層の前記プリズムが設けられた面に対向する支持層と、
前記プリズム層と前記支持層との間に設けられ、第１の屈折率を有する第１の媒質と第２の屈折率を有する第２の媒質とが互いに流動自在に含まれる媒質層と、
前記プリズム層と前記支持層との間に電位差を与えるための電極と
を備えることを特徴とする表示装置。
【請求項２】
前記プリズム層の屈折率ｎ０、前記第１の媒質の屈折率ｎ１及び前記第２の媒質ｎ２の関係は、ｎ０＞ｎ１、ｎ２＞ｎ１であることを特徴とする請求項１に記載の表示装置。
【請求項３】
前記第１の媒質は、絶縁性溶媒であり、
前記第２の媒質は、樹脂粒子である
ことを特徴とする請求項１に記載の表示装置。
【請求項４】
液晶層と、
前記液晶層に対向する光源と、
前記液晶層と前記光源との間に介挿され、前記液晶層にそれぞれ対向した前記プリズム層、前記媒質層及び前記支持層を有し、前記液晶層を介して入射される光を、前記プリズム層と前記支持層との間に与えられる電位差の極性に応じて、反射状態又は透過状態に切り替える切替え層と
を備えることを特徴とする請求項１に記載の表示装置。
【請求項５】
前記電極は、前記プリズム層の前記媒質に接する表面に設けられた第１の透明電極及び前記支持層の前記媒質層に接する表面に設けられた第２の透明電極であることを特徴とする請求項１に記載の表示装置。
【請求項６】
前記電極は、前記プリズム層の前記媒質に接する表面に設けられた第１の透明電極及び前記支持層の前記媒質層に接する表面に設けられた第２の透明電極であることを特徴とする請求項４に記載の表示装置。
【請求項７】
前記媒質層は、前記プリズムを少なくとも１つ含む領域に分割され、該分割された領域ごとに前記電極を備えることを特徴とする請求項１に記載の表示装置。
【請求項８】
前記分割された領域ごとの電極に対して個別に電位差を与える制御部を備えることを特徴とする請求項７に記載の表示装置。
【請求項９】
前記プリズム層は、前記一方の面において同一方向に延在する複数の前記プリズムを並列に備えていることを特徴とする請求項１に記載の表示装置。
【請求項１０】
前記プリズム層は、前記一方の面において同一方向に延在する複数の前記プリズムを並列に備えていることを特徴とする請求項４に記載の表示装置。
【請求項１１】
前記プリズム層及び前記媒質層の組み合わせが、それぞれの前記延在する方向を異にして複数積層されていることを特徴とする請求項９に記載の表示装置。
【請求項１２】
前記プリズム層及び前記媒質層の組み合わせが、それぞれの前記延在する方向を異にして複数積層されていることを特徴とする請求項１０に記載の表示装置。
【請求項１３】
前記プリズム層は、前記一方の面に沿って２次元方向に並べられた四角錐形状の複数の前記プリズムを備えることを特徴とする請求項１に記載の表示装置。
【請求項１４】
前記プリズム層は、前記一方の面に沿って２次元方向に並べられた四角錐形状の複数の前記プリズムを備えることを特徴とする請求項４に記載の表示装置。
【発明の詳細な説明】
【技術分野】
【０００１】
本発明は、反射モード及び透過モードを有する表示装置に関する。
【背景技術】
【０００２】
液晶表示装置（ＬＣＤ）は、陰極線管表示装置と比べると、奥行きを薄くすることができ、奥行き方向の場所をとらないという特徴があるため、家庭用表示装置、パーソナルコンピュータ、ノート型のコンピュータ等の表示装置として用いられるようになっている。また、携帯電話機、デジタルカメラ、ビデオカメラ、カーナビゲーション装置等においても用いられている。
【０００３】
液晶表示装置としては、バックライトを用いた透過型の液晶表示装置や発光型の液晶表示装置等、自ら光を放つ表示装置と、外部から入射した光を反射させる反射型の表示装置とがある。
【０００４】
バックライトを用いた液晶表示装置のように、発光型の表示装置では、周辺光の存在によって画質の大きな劣化が生じる問題があった。このため、このようなタイプの表示装置においては、周囲の光に負けないための、高輝度、高コントラスト比が必要になる。
【０００５】
一方、外部光を反射させる反射型の表示装置では、周囲光に従って反射光量が変化し、周囲が明るいほど明るく見やすい画面となる。
【０００６】
このように、周囲が明るい環境では、反射型の表示装置が有効であり、これに対して、周囲が暗い環境では、透過型・発光型の表示装置が有効である。このような各々の特徴を兼ね備えた表示装置として、半透過型の表示装置が考えられている。
【０００７】
この半透過型の表示装置は、液晶層の裏面にバックライトを設けて透過型の表示装置を構成すると共に、液晶層とバックライトとの間の一部の領域に反射層を設けて、液晶層の表面側から入射される外部からの光を、この反射層によって反射させる。
【０００８】
このような構成においては、周囲が明るい環境では、反射層によって外部光を反射させ、周囲が暗い環境では、バックライトによって透過型の表示を行う構成となっている。
【０００９】
かかる構成の半透過型の表示装置においては、１画素が反射領域と透過領域とに分割され、各々の面積は固定されていることにより、完全な透過モードや完全な反射モードを実現し得ない。すなわち、反射領域においては、反射領域の面積を増加させる以外に反射光量を増加させることは困難であることにより、１画素のすべてを反射領域とした表示装置に比べて、明るい反射表示を行うことは困難であった。
【００１０】
また、透過領域については、その面積が一部の領域に固定されていることにより、バックライトからの透過光量が減るため、バックライトの出力を増加させなければ明るい透過表示を行うことが困難であった。
【００１１】
一方、プリズムを配列した反射体を用いて外部からの光を反射させると共に、内部のバックライトからの光を外部に透過させることで、反射モード及び透過モードを有する表示装置が考えられている（特許文献１参照）。この場合、バックライトを点灯させることで透過モードを実現しており、バックライトを持たない反射型の表示装置においては、透過モードを実現することが困難であった。
【特許文献１】特開２００２−１３９７２９号公報
【発明の開示】
【発明が解決しようとする課題】
【００１２】
以上のように、従来の半透過型の表示装置においては、反射モード及び透過モードの両方において明るい画像を得ることは困難であった。
【００１３】
このような技術的課題を解決するためになされた本発明の目的は、反射モードと透過モードとを切り替え可能な表示装置において一段と明るい画像を得ることである。
【課題を解決するための手段】
【００１４】
本発明の実施の形態に係る特徴は、表示装置において、一方の面に複数のプリズムが設けられたプリズム層と、プリズム層のプリズムが設けられた面に対向する支持層と、プリズム層と支持層との間に設けられ、第１の屈折率を有する第１の媒質と第２の屈折率を有する第２の媒質とが互いに流動自在に含まれる媒質層と、プリズム層と支持層との間に電位差を与えるための電極とを備えることである。
【発明の効果】
【００１５】
本発明によれば、反射モードと透過モードとを切り替え可能な表示装置において一段と明るい画像を得ることができる。
【発明を実施するための最良の形態】
【００１６】
以下、本発明の実施の形態について図面を参照して詳細に説明する。以下の図面の記載において、同一の部分には同一の符号を付し、重複する記載は省略する。また、図面は模式的なものであり、厚みと平面寸法との関係、各層の厚みの比率等は現実のものと異なる。更に、図面相互間においても互いの寸法の関係や比率が異なる部分が含まれている。
【００１７】
（第１の実施の形態）
図１に示すように、本発明の第１の実施の形態に係る液晶表示装置１０は、信号線Ｓｉ（「ｉ」は正の整数を示す）及び走査線Ｇｉの交点に対応するように、複数のサブピクセルがマトリクス状に配列された液晶パネル１０Ａを備える。信号線Ｓｉは、信号線選択回路１０Ｂに接続され、走査線Ｇｉは、走査線選択回路１０Ｃに接続されている。信号線選択回路１０Ｂ及び走査線選択回路１０Ｃは、信号処理回路１０Ｄに接続されており、ここから所定の駆動信号を付与する。
【００１８】
液晶パネル１０Ａは、図２に示すように、液晶層２０とバックライト２５との間に反射・透過切替板３０を介挿させた構成を有している。
【００１９】
液晶パネル１０Ａにおいて、液晶層２０は、画素電極２１及び対向電極２２によって挟まれている。画素電極２１及び対向電極２２は、ＩＴＯ(Indium-Tin Oxide)等によって作成されており、画素電極２１にはドライブ用のＴＦＴ(Thin Film Transistor)２３が付加されている。このＴＦＴ２３を信号処理回路１０Ｄからの駆動信号によって駆動させることにより、画素電極２１と対向電極２２との間の液晶層２０に電圧を印加して、液晶層２０の液晶の配向方向を変化させることができる。
【００２０】
液晶層２０の背面側には、バックライト２５が設けられており、液晶層２０の液晶の配向によってバックライト２５からの光を液層層２０を介して液晶パネル１０Ａの前面側に出射させるようになされている。このバックライト２５を点灯させる駆動信号は、信号処理回路１０Ｄから画素毎に供給される。
【００２１】
液晶層２０の前面側には第１の偏光板１５が設けられ、また液晶層２０の背面側には第２の偏光板１６が設けられている。第１及び第２の偏光板１５及び１６の偏光方向は互いに９０度ずらして設けられている。液晶層２０に電圧を印加した場合には、液晶の配向が変化することにより、バックライト２５からの光（透過モード）又は後述する反射・透過切替板３０において反射した光（反射モード）は、液晶層２０をそのまま通過することにより、第１の偏光板１５によって遮蔽される。これに対して、液晶層２０に電圧を印加しない場合には、液晶の配向が予め設定されている配向方向に向くことにより、バックライト２５からの光又は反射・透過切替板３０において反射した光は、液晶層２０においてその予め設定されている液晶の配向方向に従って偏光面が回転し、第１の偏光板１５を通って液晶パネル１０Ａの前面側に透過する。
【００２２】
このように、第１及び第２の偏光板１５及び１６によって挟まれた液晶層２０においては、液晶層２０に電圧を印加させた場合と印加させない場合とでバックライト２５からの光又は反射・透過切替板３０において反射した光を遮蔽又は透過させることができる。
【００２３】
液晶層２０とバックライト２５との間に設けられている反射・透過切替板３０は、図３及び図４に示すように、一方の面に複数のプリズム３２が設けられたプリズム層（プリズムシート３１）と、プリズム層のプリズム３２が設けられた面に対向する支持層（透明支持体３６）と、プリズム層と支持層との間に設けられ、互いに逆極性に帯電した第１の屈折率ｎ１を有する第１の媒質（絶縁性溶媒３４Ａ）と第２の屈折率ｎ２を有する第２の媒質３４Ｂとが互いに流動自在に含まれる媒質層（樹脂微粒子分散溶液層３４）と、プリズム層と支持層との間に電位差を与えるための電極（透明電極３３、３５）とを備える。
【００２４】
反射・透過切替板３０は、図１に示した信号処理回路１０Ｄに設けられた制御部（図示せず）から供給される切替信号によって、バックライト２５からの光を液晶層２０側に透過させる透過モード、又はバックライト２５からの光を透過させずに、液晶パネル１０Ａの前面側から液晶層２０を介して入射した外部光を反射させて液晶層２０に戻す反射モードのいずれかに切り替え制御される。
【００２５】
すなわち、図３に示すように、反射・透過切替板３０は、一方の面にプリズム３２を形成したプリズムシート３１と、透明支持体３６とによって樹脂微粒子分散溶液層３４を挟んだ構成を有する。
【００２６】
複数のプリズム３２は、それぞれが同一方向ａに延在している。各プリズム３２は、底辺の長さＬが３０〜５００μｍ程度であって頂角θ１が９０度となっている。このプリズム３２は、削り出し又は樹脂の場合には型押し等の方法によってプリズムシート３１の一方の面に形成することができる。
【００２７】
図４に示すように、反射・透過切替板３０は、一方の面にプリズム３２が形成されたプリズムシート３１と、プリズム３２の表面（プリズム面）３２Ａの全面に設けられた透明電極３３と、プリズム面３２Ａの透明電極３３に接する樹脂微粒子分散溶液層３４と、樹脂微粒子分散溶液層３４に接し、プリズム面３２Ａの透明電極３３に対向する透明電極３５と、この透明電極３５を一方の面の全面に形成した透明支持体（支持層）３６とを備える。
【００２８】
透明電極３３及び３５は、ＩＴＯによって形成されており、プリズム面３２Ａ及び透明支持体３６に蒸着形成されている。
【００２９】
樹脂微粒子分散溶液層３４を形成する樹脂微粒子分散溶液は、絶縁性溶媒３４Ａ中に、樹脂及び帯電制御剤を分散させたものであり、固形分の重量濃度が液体成分の数パーセント程度に調整されたものである。樹脂微粒子分散溶液の作製方法としては、絶縁性溶媒３４Ａとして例えば、エクソン社製のアイソパー（商品名）に、樹脂微粒子３４Ｂとしてアクリル樹脂又はスチレン樹脂で形成された直径が０．０１μｍ〜５μｍ程度の粒子を液体成分の数重量％程度と、ナフテン酸ジルコニウム等の金属石鹸を樹脂成分の１０重量％程度とを混合し、超音波等によって分散させる方法を用いることができる。この場合、樹脂微粒子３４Ｂは、プラスに帯電していることにより、図４に示すように、プリズム側の透明電極３３と透明支持体３６側の透明電極３５との間に、プリズム側の透明電極３３がプラスになるように電圧を印加することで、樹脂微粒子３４Ｂが透明支持体３６側に引き付けられ、その結果樹脂微粒子分散溶液層３４を構成する絶縁性溶媒３４Ａがプリズムシート３１側に接触することになる。
【００３０】
ここで、絶縁性溶媒３４Ａとして、エクソン社製のアイソパーを用いた場合、この絶縁性溶媒３４Ａの屈折率ｎ１は、１．４０〜１．４３程度であることにより、屈折率ｎ０が２．０前後のガラスを用いたプリズムシート３１を用いることで、ｎ１＜＜ｎ０となって、プリズムシート３１と樹脂微粒子分散溶液層３４（絶縁性溶媒３４Ａ）との間で全反射モードを実現することができる。
【００３１】
なお、絶縁性溶媒３４Ａとして、アイソパーに代えて、３Ｍ社製のフロリナート（商品名）を使用する場合、その最も屈折率の低いものは１．２４程度であるため、プリズムシート３１としては、１．７５程度の屈折率があれば全反射モードを実現することができ、この程度まで屈折率が低下したものを使用できると、プリズムシート３１として樹脂材を用いることが可能となる。
【００３２】
また、図５に示すように、プリズム側の透明電極３３と透明支持体３６側の透明電極３５との間に、透明支持体３６側の透明電極３５がプラスになるように電圧を印加することで、樹脂微粒子３４Ｂがプリズムシート３１側に引き付けられ、その結果、樹脂微粒子分散溶液層３４を構成する絶縁性溶媒３４Ａが透明支持体３６側に接触することになる。なお、透明電極３３、３５に対する電圧の印加は、図１に示した信号処理回路１０Ｄに設けられた制御部からの切替信号により行う。
【００３３】
絶縁性溶媒３４Ａが透明支持体３６側に接触した場合、樹脂微粒子３４Ｂの屈折率ｎ２は、プリズムシート３１の屈折率ｎ０に近い屈折率ｎ２を有することにより、ｎ０≒ｎ２となって、プリズムシート３１と樹脂微粒子分散溶液層３４（樹脂微粒子３４Ｂ）との間で透過モードを実現することができる。なお、樹脂微粒子３４Ｂの大きさは、光の波長よりも小さい直径１００ｎｍ以下の粒子を用いることにより、光の乱反射を抑制することができる。
【００３４】
ここで、反射モード及び透過モードの原理を説明する。図６、図７に示すように、屈折率がｎ０の透明な第１の媒質４１と、屈折率がｎ１の透明な第２の媒質４２又は屈折率がｎ２の透明な第３の媒質４２が接しており、これらの屈折率ｎ０、ｎ１、ｎ２の関係は、ｎ０＞ｎ２＞ｎ１であるとする。これらの媒質は、透明であるため光が透過するが、第１の媒質４１と第２の媒質４２との接触面、又は第１の媒質４１と第３の媒質４３との接触面では、屈折率が異なるためにスネルの法則に従った屈折が生じる。
【００３５】
図６に示すように、第１の媒質４１と第３の媒質４３とが接触している場合、屈折率がｎ０の第１の媒質４１と屈折率がｎ２の第３の媒質４３との接触面においては、ｎ０＞ｎ２であるため、入射角度θで第１の媒質４１から第３の媒質４３に入射した光は、第３の媒質４３に入射した後は、入射角度θよりも大きな屈折角度φで屈折することになる。屈折率とこれらの角度の間には、sinθ／sinφ＝ｎ２／ｎ０の関係が成立している。第３の媒質４３の屈折率ｎ２が更に小さくなると、屈折角度φが９０度となり、これにより第３の媒質４３に光が入射できなくなる。すなわち、屈折率がｎ＝ｎ０×sinθ以下の値に小さくなると、光は全反射するようになる。透明な第２の媒質４２の屈折率ｎ１は、このｎ＝ｎ０×sinθ以下の値となっているために、図７に示すように、入射角度θで第１の媒質４１と第２の媒質４２との境界面に入射した光は、反射角度θで再び第１の媒質４１の中へと全反射して行くことになる。
【００３６】
図８は、プリズムアレイを形成した屈折率がｎ０の透明な第１の媒質４１が、屈折率ｎ１の透明な第２の媒質４２に接している状態を示している。ｎ０＞ｎ１であり、更にｎ１は全反射条件を満たすように充分に小さな値となっている場合には、図示したような垂直方向から入射する光は、全反射して入射方向へと戻って行く。これに対して、図９に示すように、屈折率がｎ０の透明な第１の媒質４１が、屈折率ｎ２の透明な第３の媒質に接している状態では、ｎ０＞ｎ２であり、ｎ２は、全反射条件とはなっていないため（ｎ０≒ｎ２）、垂直方向から入射した光は、屈折するもののそのまま第３の媒質４３の中へと透過して行く。
【００３７】
なお、図１０に示すように、第１の媒質４１に接触する第２又は第３の媒質４２又は４３に光が入射する場合、屈折率についてｎ０＞ｎ２＞ｎ１の関係があることにより、入射した光は、第１の媒質４１に接触する媒質が第２の媒質４２又は第３の媒質４３のいずれであっても、境界面で屈折はするものの、第１の媒質４１（プリズム）側へと透過する。
【００３８】
このように、プリズムアレイが形成された屈折率がｎ０の透明な第１の媒質４１に、全反射を生じさせる屈折率ｎ１の媒質４２を接触させることで、全反射を行うことができるのに対して、全反射を生じさせない屈折率ｎ２の媒質４３を接触させることで光の透過が可能となる。すなわち、プリズムアレイが形成された第１の媒質４１に接触させる媒質の屈折率を変化させることで、反射と透過を切り替えることが可能な反射・透過切替板（切替え層）３０（図４、図５）を構成することができる。
【００３９】
本実施の形態においては、第２の媒質４２として絶縁性溶媒３４Ａ（図４、図５）を用いると共に、第３の媒質４３として樹脂微粒子３４Ｂ（図４、図５）を用い、この樹脂微粒子３４Ｂを絶縁性溶媒３４Ａに対して数重量％程度で混合することにより、絶縁性溶媒３４Ａ内において樹脂微粒子３４Ｂが流動自在に混ざった状態となる。
【００４０】
このような状態においては、樹脂微粒子３４Ｂは、絶縁性溶媒３４Ａ内において移動可能な状態となることにより、透明電極３３及び３５間に電圧を印加することで、プラスに帯電している樹脂微粒子３４Ｂがプリズムシート３１又は透明支持体３６に引き付けられるようにすることができる。
【００４１】
かくして絶縁性溶媒３４Ａ及び樹脂微粒子３４Ｂはそれぞれ屈折率が異なっていることにより、絶縁性溶媒３４Ａがプリズムシート３１に接している場合には、屈折率ｎ０及びｎ１の大きな差によって、プリズムシート３１側から入射した光は、プリズムシート３１と絶縁性溶媒３４Ａとの境界において全反射してプリズムシート３１から出射する。これに対して、樹脂微粒子３４Ｂがプリズムシート３１に接している場合には、屈折率ｎ０及びｎ２が略等しい屈折率となっていることにより、プリズムシート３１側から入射した光は、プリズムシート３１と樹脂微粒子３４Ｂとの境界において樹脂微粒子３４Ｂ側に透過する。
【００４２】
なお、樹脂微粒子３４Ｂとしては、上述したアクリル樹脂又はスチレン樹脂に限られるものではなく、屈折率が絶縁性溶媒３４Ａの屈折率よりも大きく、全反射を生じない条件を満足するものであればよく、一般的に樹脂は絶縁性溶媒３４Ａの屈折率より大きいことにより、ほとんどの樹脂を利用することが可能である。
【００４３】
本実施の形態の液晶表示装置１０に用いられる液晶パネル１０Ａにおいては、以上説明した反射・透過切替板３０を用いることにより、反射モードと透過モードとを切り替えるようになされている。
【００４４】
すなわち、図２について上述した本実施の形態の液晶パネル１０Ａにおいては、液晶層２０とバックライト２５との間に反射・透過切替板３０を設けている。液晶層２０とバックライト２５との間は、従来の液晶パネルにおいて反射板が設けられる位置であり、本実施の形態においては、この従来構成の反射板に代えて反射・透過切替板３０を設けている。
【００４５】
従来の液晶パネルにおいては、反射板が背面からの光（バックライト２５からの光）を通さないため、透過モード及び反射モードを兼ね備えた液晶パネルを構成する場合に、反射板を１画素分全ての面積に設けることが困難であり、１画素領域を反射板を設けた反射領域と、反射版を設けずにバックライトからの光を透過させる透過領域とを有していた。これに対して本実施の形態における液晶パネル１０Ａにおいては、全面に亘って反射及び透過を切り替え制御可能な反射・透過切替板３０を用いることにより、この反射・透過切替板３０の制御によって、１画素領域の全ての反射領域又は透過領域として用いることができる。
【００４６】
図５に示したように、反射・透過切替板３０において、透明電極３３、３５に印加する電圧の極性を制御して樹脂微粒子３４Ｂがプリズムシート３１に引き寄せられた透過モードとすることにより、この反射・透過切替板３０を用いた液晶パネル１０Ａにおいては、図１１に示すように、バックライト２５からの光を反射・透過切替板３０において透過させて液晶パネル１０Ａの前面側に出射させることができる。これにより、周囲が暗い環境においては、外部からの十分な光量の光を利用することが困難になることに応じて、透過モードを選択すると共にバックライト２５を点灯させることにより、バックライト２５の光によって明るい画像を表示することができる。
【００４７】
これに対して、反射・透過切替板３０において、透明電極３３、３５に印加する電圧の極性を透過モードの場合に対して逆極性として樹脂微粒子３４Ｂがプリズムシート３１から離れて透明支持体３６側に引き寄せられた反射モードとすることにより、この反射・透過切替板３０を用いた液晶パネル１０Ａにおいては、図１２に示すように、液晶パネル１０Ａの前面側から入射した光を、反射・透過切替板３０において反射させて、前面側から出射させることができる。これにより周囲が明るい環境においては、反射モードを選択し、外部からの十分な光量の光を液晶パネル１０Ａの前面側から入射させて、反射・透過切替板３０において反射させることにより、外部光を利用した明るい画像を表示することができる。
【００４８】
なお、図１０について上述したように、反射・透過切替板３０において、プリズムシート３１に接触する媒質が絶縁性溶媒３４Ａ又は樹脂微粒子３４Ｂのいずれであっても、絶縁性溶媒層３４側からの光は、この絶縁性溶媒槽３４とプリズムシート３１との境界を透過する。そのため、バックライト２５を点灯させると共に、反射・透過切替板３０を反射モードとすることにより、バックライト２５を透過させつつこの透過光を反射モードによる反射光にアシストすることができる。
【００４９】
以上説明したように本実施の形態の液晶表示装置１０においては、液晶パネル１０Ａの液晶層２０とバックライト２５との間に反射・透過切替板３０を設けて、液晶パネル１０Ａを反射モード又は透過モードのいずれかに切り替えて使用するようにしたことにより、１画素領域の一部を反射領域として固定する従来の場合に比べて、１画素領域の全てを反射領域又は透過領域として用いることができる。従って、反射モード及び透過モードのいずれにおいても一段と明るい画像を表示することができる反射／透過切り替え型の液晶表示装置１０を実現することができる。
【００５０】
また、従来のプリズムシートにおいては、単に裏側から光をあてて表面側に光を透過させると、画面が暗くなるのに対して、本実施の形態の液晶表示装置１０においては、反射／透過切替板３０を設けて透過モードとすることにより、明るい透過表示を行うことができる。
【００５１】
なお上述の実施の形態においては、プリズムシート３１及び樹脂微粒子分散溶液層３４をそれぞれ１層ずつ設ける場合について述べたが、本発明はこれに限られるものではなく、複数層設けるようにしてもよい。
【００５２】
例えば、図３との対応部分に同一符号を付して示す図１３に示すように、第１のプリズムシート３１と透明支持体３６との間に第１の樹脂微粒子分散溶液層３４を設けると共に、第１のプリズムシート３１のプリズム３２が形成されていない側の面に対して所定の間隙を隔てて第２のプリズムシート６１を設け、第１のプリズムシート３１と第２のプリズムシート６１との間に第２の樹脂微粒子分散溶液層６４を設ける。第２のプリズムシート６１には、一方の面に複数のプリズム６２が形成されており、このプリズム６２が第１のプリズムシート３１のプリズム３２が形成されていない側の面に対向するように構成されている。
【００５３】
第１のプリズムシート３１のプリズム３２が形成されていない側の面３１Ａと、第２のプリズムシート６１のプリズム６２の表面（プリズム面）６２Ａには、ＩＴＯ等の透明電極が形成されており、第１のプリズムシート３１のプリズム３２が形成されていない側の面３１Ａと、第２のプリズムシート６１のプリズム面６２Ａとの間に電圧を与えることができる。
【００５４】
第２の微粒子分散溶液層６４は、第１の微粒子分散溶液層３４と同様にして、絶縁性溶媒中に樹脂微粒子を分散させたものである。これにより、第１のプリズムシート３１側の透明電極と第２のプリズムシート６１側の透明電極との間に電圧を与えることにより、その電圧の極性に応じて、絶縁性溶媒中の樹脂微粒子を第１のプリズムシート３１側又は第２のプリズムシート６１側に移動させることができ、反射モード又は透過モードに制御することができる。
【００５５】
このように、２層のプリズムシート３１、６１を設け、それぞれについて反射モード又は透過モードを制御することにより、１層だけを設けた場合に比べて、見る方向によって見え方が変化してしまうといった不都合を回避することができる。
【００５６】
すなわち、大型の画面では、反射モードの場合に視野角や見る方向が１画面の中でも場所によって異なる。この場合、例えば図１３に斜線で示すプリズム面６２Ａに直交する方向から見ると、光が透過してしまう。このような場合、図１３に示すような２層構造とすることにより、第２のプリズムシート６１のプリズム面６２Ａを透過した光は、第１のプリズムシート３１の斜線で示すプリズム面３２Ａで反射される。これにより、２層のプリズムシート３１、６１を含むパネルとしては、見る方向によらず、反射モードでは光を反射させ、これに対して透過モードでは光を透過させることができ、大きな画面であっても反射モードと透過モードとの切り替え制御を確実に行うことができるようになる。
【００５７】
また、２層のプリズムシート３１、６１を設ける場合の他の構成例として、図１４に示すものが考えられる。すなわち、図１３との対応部分に同一符号を付して示す図１４において、第１のプリズムシート３１のプリズム３２が形成されていない側の面に対して、所定の間隙を隔てて第２のプリズムシート７１が設けられており、第１のプリズムシート３１と第２のプリズムシート７１との間に第２の樹脂微粒子分散溶液層６４が設けられている。第２のプリズムシート７１には、一方の面に複数のプリズム７２が形成されており、このプリズム７２が第１のプリズムシート３１のプリズム３２が形成されていない側の面に対向するように構成されている。
【００５８】
第１のプリズムシート３１のプリズム３２が形成されていない側の面３１Ａと、第２のプリズムシート７１のプリズム７２の表面（プリズム面）６２Ａには、ＩＴＯ等の透明電極が形成されており、第１のプリズムシート３１のプリズム３２が形成されていない側の面３１Ａと、第２のプリズムシート７１のプリズム面７２Ａとの間に電圧を与えることができる。
【００５９】
第２の微粒子分散溶液層６４は、第１の微粒子分散溶液層３４と同様にして、絶縁性溶媒中に樹脂微粒子を分散させたものである。これにより、第１のプリズムシート３１側の透明電極と第２のプリズムシート７１側の透明電極との間に電圧を与えることにより、その電圧の極性に応じて、絶縁性溶媒中の樹脂微粒子を第１のプリズムシート３１側又は第２のプリズムシート７１側に移動させることができ、反射モード又は透過モードに制御することができる。
【００６０】
ここで、第１のプリズムシート３１の各プリズム３２の頂角θ１が９０度であるのに対して、第２のプリズムシート７１の各プリズム７２の頂角θ２は、６０度となっている。このように頂角θ２が小さい場合、プリズムシート７１のプリズム７２が形成されていない側の面からプリズムシート７１に入射した光ａ１は、プリズム７２のプリズム面７２Ａに対して大きな入射角で入射することにより、全反射を生じ易くなる。このことは、プリズム面７２Ａにおいて全反射させるための条件として、プリズム７２（プリズムシート７１）を形成する樹脂に要求される屈折率を小さく抑えることが可能であることを意味している。
【００６１】
すなわち、プリズム７２の頂角θ２が６０度であって、樹脂微粒子分散溶液層６４の絶縁性溶媒の屈折率が例えば１．２４の場合には、プリズム７２の屈折率が１．４３以上で全反射を生ずるようになる。一方、絶縁性溶媒の屈折率が同じ条件において、頂角が９０度である場合に全反射を生ずるために必要なプリズムの屈折率は、１．７５以上である。このように、プリズム７２を形成する樹脂に要求される屈折率が小さい場合、このような屈折率を満たす樹脂材は比較的多く存在することにより、材料の選定が容易になる。
【００６２】
図１４において、プリズム７２のプリズム面７２Ａにおいて全反射した光ａ２は、プリズム７２においてプリズム面７２Ａに対向するプリズム面７２Ａ´に対して小さな入射角で入射することにより、このプリズム面７２Ａ´を透過することになる。
【００６３】
プリズム面７２Ａ´を透過した光ａ３は、第１のプリズムシート３１のプリズム３２が形成されていない側の面から該第１のプリズムシート３１に入射する。
【００６４】
この場合、プリズムシート３１のプリズム面３２Ａへの光の入射角は、プリズムシート３１に対して直交する方向から入射する場合に比べて大きくなることにより、当該プリズム面３２Ａにおいて全反射し易くなる。
【００６５】
ここで、図１５に示すように、プリズムシート３１のプリズム３２及びプリズムシート７１のプリズム７１は、それぞれのプリズム３１、７２の長手方向が互いに９０度から僅かに回転した角度をもった関係となっている。すなわち、図１５において、プリズム３１の頂部３２Ｂとプリズム７１の頂部７２Ｂとは、９０度から僅かに回転した角度ともった位置関係となっている。これにより、プリズムシート３１のプリズム面３２Ａにおいて反射した光ａ３は、プリズム３２においてプリズム面３２Ａに対向するプリズム面３２Ａ´に大きな入射角で入射することにより、このプリズム面３２Ａ´で全反射してプリズムシート７１を透過する（反射光ａ４）。
【００６６】
このように、２つのプリズムシート３１、７２を積層し、光の入射側である第２のプリズムシート７１のプリズム７２の頂角θ２を、第１のプリズムシート３１のプリズム３２の頂角θ１に比べて小さくすることにより、屈折率が１．４３以上の比較的入手し易い樹脂材によって第２のプリズムシート７２を構成することができる。
【００６７】
（第２の実施の形態）
第１の実施の形態においては、プリズムシートとこのプリズムシートに対して屈折率の異なる２種類の媒質との接触を選択的に切り替えることにより、これらの境界面において反射モードと透過モードとを切り替えることができる反射・透過切替手段を、図２に示した反射・透過切替板３０に適用し、この反射・透過切替板３０を液晶パネルに組み込んだ場合について述べたが、本発明はこれに限られるものではなく、反射・透過切替手段それ自体で画像を表示する反射型の画像表示装置を構成することもできる。
【００６８】
図１６乃至図２１は、第２の実施の形態に係る画像表示装置１００を示すものであるが、図１、図２、図４及び図５との対応部分には同一符号を付して、重複した説明は省略する。
【００６９】
図１６に示すように、本発明の第２の実施の形態に係る画像表示装置１００は、信号線Ｓｉ（「ｉ」は正の整数を示す）及び走査線Ｇｉの交点に対応するように、複数のサブピクセルがマトリクス状に配列された画像表示パネル１００Ａを備える。信号線Ｓｉは、信号線選択回路１００Ｂに接続され、走査線Ｇｉは、走査線選択回路１００Ｃに接続されている。信号線選択回路１００Ｂ及び走査線選択回路１００Ｃは、信号処理回路１００Ｄに接続されており、ここから所定の駆動信号を付与する。
【００７０】
図１７乃至図１９に示すように、画像表示装置１０の画像表示パネル１００Ａは、一方の面にプリズム１３２が複数形成されたプリズムシート１３１と、透明支持体１３６とによって樹脂微粒子分散溶液層１３４を挟んだ構成を有している。プリズムシート１３１の透明支持体１３６に対向する側の面には、図２０に示すように、四角錐形状のプリズム１３２が２次元平面上に配列されており、各プリズム１３２の底辺の長さは、それぞれ１画素分の大きさＬで形成されている。
【００７１】
各プリズム１３２には、仕切板１３７（図１７乃至図１９）が設けられており、この仕切板１３７によって樹脂微粒子分散溶液層１３４を小胞に分割している。この仕切板１３７は、図２１に示すように、各プリズム１３２の頂部１３２Ｂを横切るように格子状に設けられている。
【００７２】
なお、この実施の形態において、仕切板１３７は、プリズムシート１３１と一体に形成されているが、これに限られるものではなく、透明支持体１３６と一体に形成するようにしてもよい。
【００７３】
このように、画像表示パネル１００Ａにおいては、仕切板１３７によって分割されてなる小胞が２次元平面上に配列された構成を有している。
【００７４】
なお、図１７乃至図１９に示す画像表示パネル１００Ａにおいては、１つのプリズム１３２に対して、１/２Ｌだけずれた位置に１つの小胞が配置される構成を示しているが、本発明はこれに限られず、１つの小胞の大きさに比べてプリズム１３２の大きさＬが小さい場合には、１つの小胞に複数のプリズム１３２が対応するようにすることもできる。
【００７５】
プリズムシート１３１に形成された各プリズム１３２の頂角は９０度であり、このプリズム１３２の表面（プリズム面１３２Ａ）と、このプリズム面１３２に対向する透明支持体１３６の表面とには、透明電極１３３及び１３５が形成されている。この透明電極１３３及び１３５は、それぞれＩＴＯによって蒸着形成されている。
【００７６】
樹脂微粒子分散層１３４を形成する樹脂微粒子分散溶液は、第１の実施の形態の場合と同様にして、絶縁性溶媒１３４Ａにアクリル樹脂又はスチレン樹脂の樹脂微粒子１３４Ｂを液体成分の数重量％程度に分散されている。これにより、各小胞の樹脂微粒子１３４Ｂは、各小胞内において流動可能な状態となっている。
【００７７】
各小胞の透明電極１３３は、それぞれに対応したスイッチ回路１４１の出力端１４１Ｃに接続されている。各スイッチ回路１４１は、それぞれ第１の入力端１４１Ａ及び第２の入力端１４１Ｂを有し、これらは極性の異なる電源Ｖ１及びＶ２に接続されている。一方、透明支持体１３６側の透明電極１３５は、各小胞毎に電源Ｖ１及びＶ２に接続されている。かくして、スイッチ回路１４１を操作することにより、各スイッチ回路１４１に対応した小胞毎に、透明電極１３３及び１３５間に第１の極性の電圧又は第２の極性の電圧を選択的に印加することができる。
【００７８】
これにより、図１８に示すように、第１の入力端１４１Ａ側に切り替えられたスイッチ回路１４１に対応する小胞においては、プリズムシート１３１側の透明電極１３３がマイナスとなることにより、樹脂微粒子１３４Ｂはこの透明電極１３３に引き付けられる。これに対して第２の入力端１４１Ｂ側に切り替えられたスイッチ回路１４１に対応する小胞においては、透明支持体１３６側の透明電極１３５がマイナスとなることにより、樹脂微粒子１３４Ｂはこの透明電極１３５に引き付けられる。
【００７９】
絶縁性溶媒１３４Ａとして、エクソン社製のアイソパーを用いる場合、絶縁性溶媒１３４Ａの屈折率ｎ１は、１．４０〜１．４３程度であることにより、屈折率ｎ０が２．０前後のガラスを用いたプリズムシート１３１を用いることで、ｎ１＜＜ｎ０となって、プリズムシート１３１と絶縁性溶媒層１３４（絶縁性溶媒１３４Ａ）との間で全反射モードを実現することができる。また、樹脂微粒子１３４Ｂとしてアクリル樹脂又はスチレン樹脂を用いる場合、樹脂微粒子１３４Ｂの屈折率ｎ２は、プリズムシート１３１の屈折率ｎ０に近い屈折率ｎ２を有していることにより、ｎ０≒ｎ２となって、プリズムシート１３１と樹脂微粒子１３４Ｂとの間の屈折率差が全反射を生じない範囲に入ることにより、プリズムシート１３１と絶縁性溶媒槽１３４（樹脂微粒子１３４Ｂ）との間で透過モードを実現することができる。なお、樹脂微粒子１３４Ｂとしては、上述したアクリル樹脂又はスチレン樹脂に限られるものではなく、屈折率が絶縁性溶媒１３４Ａの屈折率よりも大きく、全反射を生じない条件を満足するものであればよく、一般的に樹脂は絶縁性溶媒１３４Ａの屈折率より大きいことにより、ほとんどの樹脂を利用することが可能である。
【００８０】
各スイッチ回路１４１は、駆動回路１５０に接続されている。駆動回路１５０は、画像表示パネル１００Ａに表示する画像信号に基づいて、画像表示パネル１００Ａの各小胞に対応するスイッチ回路１４１に対してそれぞれ個別に制御信号ＳＣを供給する。これにより、図１９に示すように、各小胞は、画像表示パネル１００Ａに表示すべき画像に応じて、個別に反射モード又は透過モードに切り替えられる。なお、駆動回路１５０は、図１６に示した信号線選択回路１００Ｂ、走査線選択回路１００Ｃ及び信号処理回路１００Ｄを含むものである。
【００８１】
透明支持体１３６の裏面側（透明電極１３５が形成された面に対して反対側の面）には、着色体１６１が配置されることにより、透過モードに制御された小胞においては、プリズムシート１３１と絶縁性溶媒層１３４との境界を介して着色体１６１が見えることになる。これにより、透過モードとなって背景に着色体１６１の色が見える小胞が、表示すべき画像に基づいて選択されることにより、画像が表示される。すなわち、図１９に示すように、反射モードに制御された小胞同士が隣接する場合に、隣接する小胞のプリズム面１３２Ａにおいて外部からの光が反射して外部に戻る。これに対して、透過モードに制御された小胞にあっては、そのプリズム面１３２Ａにおいて外部からの光が透過して背景の着色体１６１の色が見えることになる。
【００８２】
なお各画素に与える電圧のパターンを変化させることで、各画素の反射モードと透過モードとを時間的に変化させることにより、動画像の表示も可能となる。
【００８３】
以上説明したように、本実施の形態に係る画像表示装置１００においては、プリズムシート１３１と透明支持体１３６との間に微粒子分散溶液層１３４を設けるとともに、この微粒子分散溶液層１３４を仕切板１３７によって複数の小胞に分割し、各小胞毎に印加する電圧の極性を制御するようにしたことにより、小胞ごとに透過モード又は反射モードに制御することができる。これにより、透過モードにある小胞においては画像表示パネル１００Ａの裏側にある着色体１６１を見ることができるので、表示しようとする画像に基づいて小胞ごとに透過モードを制御することで反射型の画像表示装置を実現することができる。
【００８４】
上述の第２の実施の形態においては、プリズムシート１３１に形成された各プリズム１３２の頂部１３２Ｂを横切るように仕切板１３７を設ける場合について述べたが、本発明はこれに限られるものではなく、例えば図２２乃至図２４に示すように、プリズム１３２の底の部分に沿って仕切板１３７を設けるようにしてもよい。
【００８５】
すなわち、図２２乃至図２４に示すように、画像表示パネル２００Ａは、プリズムシート１３１に形成された各プリズム１３２の底の部分に沿って仕切板１３７を設けた構成を有する。なお、画像表示パネル２００Ａにおいて、仕切板１３７がプリズム１３２の底の部分に沿って設けられている点以外は、図１７乃至図１９に示した画像表示パネル１００Ａと同様の構成を有している。従って、図２２乃至図２４において図１７乃至図１９と同一の部分には同一符号を付して、重複する説明を省略する。
【００８６】
画像表示パネル２００Ａにおいては、各仕切板１３７によって囲まれた小胞が１つのプリズム１３２の正面に配置されることにより、プリズム１３２と小胞とが１対１で対応することになる。これにより、図１９に示した画像表示パネル１００Ａの場合のようにプリズム１３２の位置と小胞の位置とがずれることはなくなる。また図１７乃至図１９に示した画像表示パネル１００Ａの場合には、反射モードにより外部から見える画素の数は、小胞の数よりも１つ少ない状態となり（図１９）、逆に透過モードでは実際の小胞の数よりも１つ多くなっている。すなわち、図１９に示すように、例えば隣接する３個の小胞が反射モードとなっている場合、外から見ると２個の画素のみが反射モードとなる。
【００８７】
これに対して、図２２乃至図２４の画像表示パネル２００Ａにおいては、小胞と１つのプリズム１３２とが同位置に配置されることにより、図２４に示すように、小胞と外から見える画素の位置及び数が一致することになる。
【００８８】
なお、図２２乃至図２４の場合においても、１つのプリズム１３２の大きさが小胞の大きさよりも小さい場合には、複数のプリズム１３２を１つの小胞に対応させるように仕切板１３７を設けるようにしてもよい。
【００８９】
なお、上述の実施の形態においては、図２０に示したような四角錐のプリズムが２次元平面上に配列したプリズムシート１３１を用いる場合について述べたが、本発明はこれに限られるものではなく、例えば図３に示したような１方向に延在したプリズム３２、６２又は７２を有するプリズムシート３１、６１又は７１を用いるようにしてもよい。この場合、図２５に示すように、各プリズム３２において、その長手方向を区切るように仕切板２３７を設けることにより、複数の小胞を形成することができる。
【００９０】
（他の実施の形態）
上述の第１の実施の形態においては、１方向に連続したプリズム３２を用いる場合について述べたが、本発明はこれに限れられるものではなく、図２０に示したような四角錐のプリズム１３２を２次元平面上に並べて用いるようにしてもよい。この場合、頂部１３２Ｂにおいて向かい合う面のなす角度（頂角）が９０度となっていることが望ましい。四角錐のプリズムを用いることにより、このプリズムを２次元平面上に配列してなるプリズムシートを１層のみ用いた構成においても、斜めから画面を見たり、大きな画面を見る場合に画面を見る方向や視野角によって部分的に反射モードが透過モードとなってしまうといった不安定な状態を回避することができる。
【００９１】
また上述の第１及び第２の実施の形態においては、一方向に連続したプリズム３２（図３）を並列に設けたプリズムシート３１又は四角錐形状のプリズム１３２を２次元方向に複数配列させてなるプリズムシート１３１（図２０）を用いる場合について述べたが、本発明ではこれらのプリズムに代えて、種々の形状のプリズムを用いることができる。
【００９２】
例えば、図２６及び図２７に示すように、正三角錐のプリズム３０２を２次元平面上に配列させてなるプリズムシート３０１を用いるようにしてもよい。この場合、プリズムの頂部３０３に集まっている３つの面のなす角度が互いに90度であることが望ましい。このようなコーナーキューブ形状となっていることにより、プリズム３０２に入射した光は各面で反射して光の到来側に戻ることになる。従って、反射モードとなっている場合には、確実に全反射を行い、画面を見る方向や視野角等に依存することなく、反射モードを維持することができる。
【００９３】
また、四角錐や三角錐のプリズムに限れられるものではなく、例えば、図２８に示すように、円錐のプリズム３１１を用いるようにすることもできる。この場合においても、頂角を９０度とすることが望ましい。円錐形状は、四角錐の角数を無限に大きくしたものであるため、四角錐と円錐との間の例えば六角錐や八角錐等も同様にプリズムとして用いることができる。
【００９４】
また、図２９に示すように、半球レンズ３２２の球状部分の表面に四角錐プリズム３２３を組み合わせたプリズム３２１、又は、図３０に示すように、半球レンズ３２２の球状部分の表面に円錐プリズム３２４を組み合わせたプリズム３３１を用いるようにしてもよい。プリズム３２１の側面は、図３１に示すように、半球レンズ３２２の球状部分の表面に、頂角θ３が９０度の四角錐プリズム３２３が設けられている。このように構成する半球レンズ３２２の中心部を通る光についても、四角錐プリズム３２３によって反射モードを実現することができる。すなわち、図３２に示すように、半球レンズ３２２に対して、その平面状の底面部３２５から光が入射すると、例えば点線で示すように入射位置が底面部３２５の周縁部に近い場所では、光の入射角が非常に大きくなることにより、屈折率差がほとんど無い場合以外は、全反射して光の到来方向に戻ることになる。また、入射位置が周縁部から離れるに従って入射角が小さくなり、入射位置が半球レンズ３２２の頂部３２２Ａから一定の範囲外にある限りは、図３２において破線で示すように全反射して光の到来方向に戻ることになる。これに対して底面部３２５の中心部から入射して半球レンズ３２２の頂部３２２Ａに至る光は、入射角が小さくなることにより、図３２において実線で示すように透過することになる。この場合、底面部３２５の中心付近から入射して半球レンズ３２２の頂部３２２Ａの付近に至る光のうち、底面部３２５の中心付近（すなわち半球レンズ３２２の頂部３２２Ａの付近）から一定の範囲内では、入射光が透過するのに対して、この範囲外においては、反射することになる。この透過する範囲と反射する範囲の境界は、半球レンズ３２２を構成する媒体の屈折率と周辺媒体の屈折率の差で決まる。このように、半球レンズ３２２の頂部３２２Ａ付近の完全透過部分を反射モードにも使用できるようにするため、四角錐プリズム３２３（図２９）を半球レンズ３２２に組み合わせる。このように構成することにより、半球レンズ３２２だけでは透過してしまう中心部分においてもこの部分に四角錐プリズム３２３を設けることにより、プリズム３２１全体として、反射モードに制御することが可能となる。なお、図３１及び図３２における説明では、半球レンズ３２２に四角錐プリズム３２３を組み合わせる場合について述べたが、図３０に示したように、円錐プリズム３２４を組み合わせる場合においても同様の効果を得ることができる。また、半球レンズ３２２に対して四角錐プリズム３２３又は円錐プリズム３２４を組み合わせる構成に限らず、例えば、図３３に示すように、半球レンズ３２２の球面部にコーナーキューブプリズム３２６を組み合わせた構成のプリズム３４１においても、四角錐プリズム３２３や円錐プリズム３２４を組み合わせる場合と同様の効果を得ることができる。
【００９５】
図３４に示すように、図２８乃至図３３に示した底部が円形のプリズム３２１、３３１又は３４１を２次元的に配列した場合、各プリズム３２１（３３１、３４１）の底部の円形が互いに接するように配列すると、円形部同士が接しない部分において隙間が生じることになる。この隙間では、そこに入射した光が常に透過状態となり、画面全体に亘って反射状態を作り出すことが困難になる。従って、図３５に示すように、円形部を縦横に配列した場合の対角線上で各円形部の外形が交わるようにする。この場合、図３５に示すＣ−Ｃ´方向及びＤ−Ｄ´方向に見ると、各円形部は接しているが、Ａ−Ａ´方向及びＢ−Ｂ´方向では、円形部が重なり合っている。従って、このような形状に合わせて各プリズム３２１（３３１、３４１）を加工して配列させる。このようにプリズム３２１（３３１、３４１）が配列された構成においては、Ａ−Ａ´線（又はＢ−Ｂ´線）を断面にとって示すと、図３６に示すように、頂角が９０度のプリズムが配列した構成となっており、また、Ｃ−Ｃ´線（又はＤ−Ｄ´線）を断面にとって示すと、図３７に示すように、半球レンズと頂角が９０度のプリズムとが組み合わせられたプリズムが配列されてなる２次元配列構成のプリズムシートを実現することができる。
【００９６】
また、上述の第１の実施の形態においては、図３８に示すように、１次元方向に延在するプリズム４０１を複数並べる構成を適用することもできる。この場合、図３９に示すように、プリズム４０１の底部に断面が半円形状のシリンドリカルレンズ４０２を用い、このシリンドリカルレンズ４０２の周面部に頂角が９０度のプリズム４０３を組み合わせた構成とすればよい。
【図面の簡単な説明】
【００９７】
【図１】第１の実施の形態に係る液晶表示装置の全体構成を示す平面図である。
【図２】図１の液晶パネルの構成を示す断面図である。
【図３】図２の液晶パネルの反射・透過切替板の構成を示す斜視図である。
【図４】反射モードにおける反射・透過切替板の状態を示す断面図である。
【図５】透過モードにおける反射・透過切替板の状態を示す断面図である。
【図６】透過の原理の説明に供する略線図である。
【図７】反射の原理の説明に供する略線図である。
【図８】反射の原理の説明に供する略線図である。
【図９】透過の原理の説明に供する略線図である。
【図１０】裏面からの光の透過の原理の説明に供する略線図である。
【図１１】図１の液晶パネルの透過モードの説明に供する断面図である。
【図１２】図１の液晶パネルの反射モードの説明に供する断面図である。
【図１３】２層構造の反射・透過切替板を示す斜視図である。
【図１４】２層構造の反射・透過切替板を示す斜視図である。
【図１５】２層構造の反射・透過切替板の説明に供する略線図である。
【図１６】第２の実施の形態に係る画像表示装置の全体構成を示す平面図である。
【図１７】図１６の画像表示パネルの構成を示す断面図である。
【図１８】図１６の画像表示パネルの構成を示す断面図である。
【図１９】図１６の画像表示パネルの動作の説明に供する断面図である。
【図２０】プリズムシートを示す斜視図である。
【図２１】プリズムシートを示す平面図である。
【図２２】他の実施の形態に係る画像表示パネルの構成を示す断面図である。
【図２３】他の実施の形態に係る画像表示パネルの構成を示す断面図である。
【図２４】他の実施の形態に係る画像表示パネルの動作の説明に供する断面図である。
【図２５】他の実施の形態に係る反射・透過切替板を示す斜視図である。
【図２６】他の実施の形態に係るプリズムシートを示す斜視図である。
【図２７】他の実施の形態に係るプリズムシートを示す平面図である。
【図２８】他の実施の形態に係るプリズムを示す斜視図である。
【図２９】他の実施の形態に係るプリズムを示す斜視図である。
【図３０】他の実施の形態に係るプリズムを示す斜視図である。
【図３１】他の実施の形態に係るプリズムを示す斜視図である。
【図３２】他の実施の形態に係る半球形状のプリズムの動作の説明に供する断面図である。
【図３３】他の実施の形態に係るプリズムを示す斜視図である。
【図３４】プリズムの配置例を示す略線図である。
【図３５】他の実施の形態に係るプリズムの配置例を示す略線図である。
【図３６】図３５のＡ−Ａ´線又はＢ−Ｂ´線を断面にとって示す断面図である。
【図３７】図３５のＣ−Ｃ´線又はＤ−Ｄ´線を断面にとって示す断面図である。
【図３８】他の実施の形態に係るプリズムを示す斜視図である。
【図３９】図３８のプリズムの側面図である。
【符号の説明】
【００９８】
１０  液晶表示装置
１０Ａ  液晶パネル
１５、１６  偏光板
２０  液晶層
２１  画素電極
２２  対向電極
２５  バックライト
２３  ＴＦＴ
３０  反射・透過切替板
３１、６１、７１、１３１、３０１  プリズムシート
３２、６２、７２、１３２、３１１、３２１、３３１、３４１、４０１  プリズム
３２Ａ  プリズム面
３２Ｂ、７２Ｂ  頂部
３３、３５、１３３、１３５  透明電極
３４、６４、１３４  樹脂微粒子分散溶液層
３４Ａ、１３４Ａ  絶縁性溶媒
３４Ｂ、１３４Ｂ  樹脂粒子
３６、１３６  透明支持体
１００  画像表示装置
１００Ａ、２００Ａ  画像表示パネル
１３７、２３７  仕切板
１４１  スイッチ回路
１５０  駆動回路
【図１】
2008008995.tif 000003
【図２】
2008008995.tif 000004
【図３】
2008008995.tif 000005
【図４】
2008008995.tif 000006
【図５】
2008008995.tif 000007
【図６】
2008008995.tif 000008
【図７】
2008008995.tif 000009
【図８】
2008008995.tif 000010
【図９】
2008008995.tif 000011
【図１０】
2008008995.tif 000012
【図１１】
2008008995.tif 000013
【図１２】
2008008995.tif 000014
【図１３】
2008008995.tif 000015
【図１４】
2008008995.tif 000016
【図１５】
2008008995.tif 000017
【図１６】
2008008995.tif 000018
【図１７】
2008008995.tif 000019
【図１８】
2008008995.tif 000020
【図１９】
2008008995.tif 000021
【図２０】
2008008995.tif 000022
【図２１】
2008008995.tif 000023
【図２２】
2008008995.tif 000024
【図２３】
2008008995.tif 000025
【図２４】
2008008995.tif 000026
【図２５】
2008008995.tif 000027
【図２６】
2008008995.tif 000028
【図２７】
2008008995.tif 000029
【図２８】
2008008995.tif 000030
【図２９】
2008008995.tif 000031
【図３０】
2008008995.tif 000032
【図３１】
2008008995.tif 000033
【図３２】
2008008995.tif 000034
【図３３】
2008008995.tif 000035
【図３４】
2008008995.tif 000036
【図３５】
2008008995.tif 000037
【図３６】
2008008995.tif 000038
【図３７】
2008008995.tif 000039
【図３８】
2008008995.tif 000040
【図３９】
2008008995.tif 000041